(57)【特許請求の範囲】
【請求項１】
入力側部材からの動力を出力側部材に伝達するとともに、レリーズ機構の作動により動力伝達を遮断するモータサイクル用クラッチ装置であって、
前記入力側部材及び出力側部材の一方に連結されたクラッチハウジングと、
前記クラッチハウジングの内周部に設けられ、前記入力側部材及び出力側部材の他方に連結された回転体と、
前記クラッチハウジングと前記回転体との間で動力の伝達及び遮断を行うための１枚以上のプレート部材を有するクラッチ部と、
前記クラッチ部のプレート部材を押圧するためのプレッシャプレートと、
前記回転体に支持され、前記プレッシャプレートを所定の押圧力で押圧するとともに、前記押圧力を解除するための押圧部材と、
前記レリーズ機構を保持するとともに前記レリーズ機構の作動力を前記押圧部材に伝達するためのレリーズ部材と、
前記レリーズ部材の振動を抑制するための振動抑制機構と、
を備え、
前記振動抑制機構は、前記押圧部材との間に前記レリーズ部材を挟み込んで保持するクリップであり、
前記回転体は、回転体本体と、前記回転体本体に固定されるとともに前記回転体本体との間に前記押圧部材を支持する支持プレートとを有し、
前記クリップは、前記支持プレートに装着される取付部と、前記取付部から延び前記レリーズ部材の側面を前記押圧部材側に圧接する弾性変形可能な圧接部とを有している、
モータサイクル用クラッチ装置。
【請求項２】
前記回転体に支持され、回転により雰囲気中の潤滑油を取り込んで前記クラッチ部に導くためのフィンをさらに備えた、請求項１に記載のモータサイクル用クラッチ装置。
【請求項３】
前記回転体は、内周部から外周側の前記クラッチ部に貫通する潤滑油経路を有し、
前記フィンは潤滑油を前記回転体の内周部に取り込む、
請求項２に記載のモータサイクル用クラッチ装置。
【請求項４】
前記押圧部材、前記回転体及び前記クラッチハウジングには、前記押圧部材の内周部から前記回転体を通過して前記クラッチハウジングの外周側に潤滑油を含む空気が流れるように、流通路が形成されている、
請求項１又は２に記載のモータサイクル用クラッチ装置。
【請求項５】
前記押圧部材は、前記回転体に支持され、前記プレッシャプレートを押圧する押圧部と、前記レリーズ機構の作動力を所定のレバー比で増幅して前記押圧部による押圧力を解除するためのレバー部とを有する、請求項１から４のいずれかに記載のモータサイクル用クラッチ装置。
【請求項６】
前記フィンは前記クリップに形成されている、請求項２に記載のモータサイクル用クラッチ装置。
【請求項７】
前記クリップの取付部は内周側に延びる延長部を有しており、
前記フィンは前記延長部の内周側の端部を前記支持プレートとは逆側に折り曲げられた折り曲げ部である、
請求項６に記載のモータサイクル用クラッチ装置。
【請求項８】
前記フィンは、前記折り曲げ部の回転方向下流側の端部に前記折り曲げ部とは逆側に折り曲げられた逆曲げ部をさらに有する、請求項７に記載のモータサイクル用クラッチ装置。
【請求項９】
前記押圧部材は、外周部に前記押圧部を有するとともに内周部に前記レバー部を有するダイヤフラムスプリングである、請求項１から８のいずれかに記載のモータサイクル用クラッチ装置。
【請求項１０】
前記回転体は外周部に前記プレッシャプレートと対向する摩擦部を有し、
前記クラッチ部は、前記クラッチハウジングに係合する第１クラッチプレートと前記回転体に係合する第２クラッチプレートとを有し、前記第１及び第２クラッチプレートは前記回転体の摩擦部と前記プレッシャプレートとの間に挟持される、
請求項１から９のいずれかに記載のモータサイクル用クラッチ装置。
【請求項１１】
前記ダイヤフラムスプリングは、
前記押圧部の外周部が前記プレッシャプレートを押圧し、前記押圧部の内周部が前記回転体の外周部に支持され、
前記レバー部の内周部が、前記レリーズ機構によって前記プレッシャプレート側に移動させられる、
請求項９又は１０に記載のモータサイクル用クラッチ装置。
【発明の詳細な説明】
【技術分野】
【０００１】
本発明は、クラッチ装置、特に、入力側部材からの動力を出力側部材に伝達するとともに、レリーズ機構の作動により動力伝達を遮断するモータサイクル用クラッチ装置に関する。
【背景技術】
【０００２】
一般に、自動二輪車やバギー等のモータサイクルには、エンジンからの動力をトランスミッションに伝達あるいは遮断するために多板クラッチ装置が用いられている。この多板クラッチ装置は、エンジンのクランク軸側に連結されるクラッチハウジングと、トランスミッション側に連結される出力側回転体と、それらの間で動力の伝達、遮断を行うためのクラッチ部と、クラッチ部を押圧するためのプレッシャプレートとを有している。クラッチ部は、クラッチハウジングに係合する第１クラッチプレートと出力側回転体に係合する第２クラッチプレートとが交互に配置されている。
【０００３】
そして、これらのクラッチプレートを、プレッシャプレートを介してスプリング等の押圧部材で圧接させることにより、クランク軸の回転がトランスミッション側に伝達されるようになっている。また、クラッチをオフ（回転の伝達を遮断）する場合は、操作者がクラッチレバーを握ることによって、又はギアチェンジ操作を行うことによってレリーズ機構が作動し、このレリーズ機構によって押圧部材のクラッチプレートに対する押圧が解除され、第１及び第２クラッチプレート間の動力伝達が遮断されるようになっている。
【特許文献１】特開２００３−２２２１５９号公報
【発明の開示】
【発明が解決しようとする課題】
【０００４】
以上のようなクラッチ装置では、クラッチ部への潤滑が重要である。クラッチ部への潤滑が不足すると、クラッチ部を構成する摩擦部材の摩耗を招きやすく、寿命が短くなってしまう。
【０００５】
そこで、中央の軸に潤滑油孔を形成し、この潤滑油孔から遠心力によって潤滑油を外周側のクラッチ部に供給する構成（軸心給油）が採用される場合がある。しかし、出力側回転体には、クラッチ部のクラッチプレート内周部が係合する筒状部等が形成されており、また軸とクラッチ部との間には他の部材も設けられているので、潤滑油がクラッチ部へ供給されにくい。しかも、軸の寸法によっては、強度上、潤滑油孔を設けることが困難になる場合がある。
【０００６】
また、軸心給油を採用しない場合、クラッチ部への給油は潤滑油の飛沫及び雰囲気中のミストによる給油であり、十分な潤滑油の供給が困難な場合がある。
【０００７】
本発明の課題は、軸に潤滑油孔を設けることなく、雰囲気中に存在する潤滑油を用いてクラッチ部を良好に潤滑できるようにすることにある。
【課題を解決するための手段】
【０００８】
請求項１に係るモータサイクル用クラッチ装置は、入力側部材からの動力を出力側部材に伝達するとともに、レリーズ機構の作動により動力伝達を遮断する装置であって、クラッチハウジングと、回転体と、クラッチ部と、プレッシャプレートと、押圧部材と、レリーズ部材と、振動抑制機構と、を備えている。クラッチハウジングは入力側部材及び出力側部材の一方に連結されている。回転体は、クラッチハウジングの内周部に設けられ、入力側部材及び出力側部材の他方に連結されている。クラッチ部はクラッチハウジングと回転体との間で動力の伝達及び遮断を行うための１枚以上のプレート部材を有する。プレッシャプレートはクラッチ部のプレート部材を押圧するためのものである。押圧部材は、プレッシャプレートを所定の押圧力で押圧するとともに、押圧力を解除するための部材である。レリーズ部材はレリーズ機構を保持するとともにレリーズ機構の作動力をレバー部に伝達するための部材である。振動抑制機構は、押圧部材との間にレリーズ部材を挟み込んで保持するクリップからなり、レリーズ部材の振動を抑制する。また、回転体は、回転体本体と、回転体本体に固定されるとともに回転体本体との間に押圧部材を支持する支持プレートとを有している。クリップは、支持プレートに装着される取付部と、取付部から延びレリーズ部材の側面を押圧部材側に圧接する弾性変形可能な圧接部とを有している。
【０００９】
このクラッチ装置では、押圧部材による押圧力がプレッシャプレートを介してクラッチ部に作用し、クラッチ部はオン（動力伝達状態）になっている。この状態では、入力側部材からの動力は、例えばクラッチハウジングに入力され、さらにクラッチ部を介して回転体に伝達されて、出力側部材に出力される。逆に、入力側部材からの動力が回転体に入力された場合は、この動力はクラッチ部を介してクラッチハウジングに伝達され、出力側部材に出力される。クラッチをオフ（動力遮断状態）にする場合は、レリーズ部材によって押圧部材を作動させると、押圧部材によるプレッシャプレートへの押圧力が解除される。
【００１０】
また、このクラッチ装置では、ダイヤフラムスプリング等の押圧部材によりプレッシャプレートを介してクラッチ部に押圧力を与え、かつレリーズ機構によってレバー部を押圧し、押圧部材による押圧力を解除するようにしている。したがって、クラッチが接続されている状態（クラッチオンの状態）では、レリーズ機構の部材と押圧部材との間には若干の隙間が存在し、レリーズ機構の部材は軸方向に移動し得る状態となっている。このため、エンジン振動等によりレリーズ機構の部材が振動し、クラッチの操作性、具体的にはクラッチ切れ量がばらついてクラッチの切れが悪くなるという問題がある。
【００１１】
そこで、このクラッチ装置では、レリーズ部材の振動を抑制するためのクリップからなる振動抑制機構を設け、レリーズ部材の振動を抑制するようにしている。このため、レリーズ部材が軸方向に移動するのを防止でき、クラッチ切れ量が安定するので、クラッチの切れが良くなる。
【００１２】
請求項２に係るモータサイクル用クラッチ装置は、請求項１の装置において、回転体に支持され、回転により雰囲気中の潤滑油を取り込んで前記クラッチ部に導くためのフィンをさらに備えている。
【００１３】
このようなクラッチ装置において、回転体とともにフィンが回転し、この回転するフィンによって雰囲気中に存在する潤滑油（例えばミスト状の潤滑油）が装置内部に取り込まれる。この取り込まれた潤滑油が遠心力によってクラッチ部に供給される。
【００１４】
ここでは、軸に潤滑油孔を形成する必要がなく、設計の自由度が高くなるとともに、フィンによって雰囲気中の潤滑油を積極的に取り込んでクラッチ部に供給するので、潤滑油が不足するのを抑えることができる。
【００１５】
請求項３に係るモータサイクル用クラッチ装置は、請求項２の装置において、回転体は、内周部から外周側のクラッチ部に貫通する潤滑油経路を有し、フィンは潤滑油を回転体の内周部に取り込む。
【００１６】
この装置では、回転体の内部に取り込まれた潤滑油は、遠心力によって外周側に向かって移動し、潤滑油経路を通過してクラッチ部に供給される。このため、クラッチ部が良好に潤滑される。
【００１７】
請求項４に係るモータサイクル用クラッチ装置は、請求項１又は２の装置において、押圧部材、回転体及びクラッチハウジングには、押圧部材の内周部から回転体を通過してクラッチハウジングの外周側に潤滑油を含む空気が流れるように、流通路が形成されている。
【００１８】
このクラッチ装置では、押圧部材による押圧力がプレッシャプレートを介してクラッチ部に作用し、クラッチ部はオン（動力伝達状態）になっている。この状態では、入力側部材からの動力は、例えばクラッチハウジングに入力され、さらにクラッチ部を介して回転体に伝達されて、出力側部材に出力される。逆に、入力側部材からの動力が回転体に入力された場合は、この動力はクラッチ部を介してクラッチハウジングに伝達され、出力側部材に出力される。クラッチをオフ（動力遮断状態）にする場合は、レリーズ部材によって押圧部材を作動させると、押圧部材によるプレッシャプレートへの押圧力が解除される。
【００１９】
このようなクラッチ装置において、回転体等の各部材が回転することによって、雰囲気中に存在する潤滑油（例えばミスト状の潤滑油）が装置内部に取り込まれる。この取り込まれた潤滑油が、遠心力を受け、流通路を通ってクラッチハウジング外周側に抜けるときに、各部を潤滑する。
【００２０】
ここでは、軸に潤滑油孔を形成する必要がなく、設計の自由度が高くなるとともに、流通路によって雰囲気中の潤滑油を積極的に内周側から外周側に通過させるので、潤滑油が不足するのを抑えることができる。
【００２１】
請求項５に係るモータサイクル用クラッチ装置は、請求項１から４のいずれかの装置において、押圧部材は、回転体に支持され、プレッシャプレートを押圧する押圧部と、レリーズ機構の作動力を所定のレバー比で増幅して押圧部による押圧力を解除するためのレバー部とを有する。
【００２２】
ここで、従来のモータサイクル用クラッチ装置では、クラッチ部の接続を遮断するためには、押し付け荷重と同等のレリーズ荷重をレリーズ機構によって加える必要がある。このレリーズ荷重はクラッチレバーを握る力、すなわち操作力によって決定されるために、押し付け荷重を高くすると、それに伴ってクラッチレバーの操作力が高くなり、操作性が悪くなる。したがって、押し付け荷重をあまり高くすることができない。
【００２３】
そこで、この請求項６に係る装置では、押圧部材を押圧部とレバー部とで構成し、レバー部によりレリーズ機構の作動力（操作力）を増幅して押圧部に作用させるようにしている。これにより、従来のクラッチ装置における操作力に比較して、レバー比の分だけ少ない操作力でクラッチオフ操作が可能となる。
【００２４】
請求項６に係るモータサイクル用クラッチ装置は、請求項２の装置において、フィンはクリップに形成されている。
【００２５】
請求項７に係るモータサイクル用クラッチ装置は、請求項６に記載の装置において、クリップの取付部は内周側に延びる延長部を有しており、フィンは延長部の内周側の端部を支持プレートとは逆側に折り曲げられた折り曲げ部である。
【００２６】
ここでは、クリップの内周側に設けられた延長部に、クリップと一体でフィンが形成されている。したがって、構成が簡単になる。
【００２７】
請求項８に係るモータサイクル用クラッチ装置は、請求項７の装置において、フィンは、折り曲げ部の回転方向下流側の端部に折り曲げ部とは逆側に折り曲げられた逆曲げ部をさらに有する。
【００２８】
折り曲げ部によって形成されたフィンにより、雰囲気中に存在する潤滑油が取り込まれるが、取り込まれた潤滑油が逆曲げ部によってさらに内部に取り込まれ、効率よく潤滑油を装置内部に取り込むことができる。
【００２９】
請求項９に係るモータサイクル用クラッチ装置は、請求項１から８のいずれかの装置において、押圧部材は、外周部に押圧部を有するとともに内周部にレバー部を有するダイヤフラムスプリングである。この場合は、押圧部材の構成が簡単になる。
【００３０】
請求項１０に係るモータサイクル用クラッチ装置は、請求項１から９のいずれかの装置において、回転体は外周部にプレッシャプレートと対向する摩擦部を有している。また、クラッチ部は、クラッチハウジングに係合する第１クラッチプレートと回転体に係合する第２クラッチプレートとを有し、第１及び第２クラッチプレートは回転体の摩擦部とプレッシャプレートとの間に挟持される。
【００３１】
ここでは、クラッチ部を構成する第１及び第２クラッチプレートが回転体の摩擦部とプレッシャプレートとの間に挟持され、動力は、クラッチハウジング、第１クラッチプレート、第２クラッチプレート、回転体の経路で伝達される。
【００３２】
請求項１１に係るモータサイクル用クラッチ装置は、請求項９又は１０の装置において、ダイヤフラムスプリングは、押圧部の外周部がプレッシャプレートを押圧し、押圧部の内周部が回転体の外周部に支持されている。そして、レバー部の内周部が、レリーズ機構によってプレッシャプレート側に移動させられる。
【００３３】
ここでは、ダイヤフラムスプリングのレバー部内周部をレリーズ機構によって操作することにより、押圧部の外周部がプレッシャプレートから離れる方向に移動し、押圧部によるプレッシャプレートへの押圧力が解除される。
【００３４】
ここで、ダイヤフラムスプリングの押圧部の内周部は回転体の外周部によって支持されているので、ダイヤフラムスプリングを支持するための構成が簡単になり、軸方向寸法も短くなる。一般的な自動車用のクラッチ装置において、ダイヤフラムスプリングの内周端部をエンジン側に操作することによりクラッチオフにするタイプのものでは、ダイヤフラムスプリングの押圧部の内周部はクラッチカバーによって支持されている。このクラッチカバーによる支持構造では、クラッチカバーの外周部からダイヤフラムスプリングの外側を外周側から覆うように内周側に延びた部分に支持されるようになっている。このような構造では、ダイヤフラムスプリングの支持のために軸方向に比較的長いスペースが必要となる。しかし、本請求項に係る発明では、前述のように、回転体の外周部によってダイヤフラムスプリングを支持しているので、比較的短い軸方向スペースで支持が可能となる。
【発明の効果】
【００３５】
本発明に係るモータサイクル用クラッチ装置では、軸に潤滑油孔を設けることなく、雰囲気中に存在する潤滑油を用いてクラッチ部を良好に潤滑することができる。
【発明を実施するための最良の形態】
【００３６】
［第１実施形態］
＜全体構成＞
図１及び図２に示すモータサイクル用クラッチ装置は、エンジンのクランク軸からの動力をトランスミッションに伝達するとともに、レリーズ機構の操作により、動力を遮断するためのものである。このクラッチ装置は、レリーズベアリングを軸方向内側に押すことによりクラッチオフとする構成であり、クラッチハウジング１と、出力側回転体２と、クラッチハウジング１と出力側回転体２との間で動力の伝達、遮断を行うためのクラッチ部３と、プレッシャプレート４と、ダイヤフラムスプリング５と、レリーズ部材６と、レリーズ部材６の振動を抑制するとともに雰囲気中の潤滑油ミスト等を装置内部に取り込むためのクリップ７とを備えている。
【００３７】
＜クラッチハウジング＞
クラッチハウジング１は、円板状の部分１０と、この円板部１０の外周側から軸方向外側（図１の右方）に延びる筒状の部分１１とを有している。円板部１０には複数の環状のゴム部材１２を介して入力ギア１３が装着されている。この入力ギア１３は、エンジン側のクランク軸に固定された駆動ギア（図示せず）に噛み合っている。なお、ゴム部材１２は、エンジンからの振動を吸収するために設けられたものであり、他の例えばコイルスプリング等を用いても良い。筒状部１１には、内周側の部分に径方向外方に凹む複数の凹部が形成されるとともに、軸方向に延びる複数の切欠きが円周方向に所定の間隔で形成されている。この切欠きは内部の潤滑油を外周側に逃がすためのものである。
【００３８】
＜出力側回転体＞
出力側回転体２はクラッチハウジング１の内周部に配置されている。この出力側回転体２は、ほぼ円板状に形成されており、外周部にスプライン１５が形成されるとともに、内周部にスプライン孔１６が形成されている。そして、内周部のスプライン孔１６はトランスミッションの入力軸（図示せず）に噛み合っている。外周部のスプライン１５が形成された部分には、内周側から外周側のクラッチ部３に貫通する切欠き１５ａが形成されている。また、内周部と外周部との間の円板状部分には、軸方向に貫通する複数の貫通孔１５ｂが形成されている。
【００３９】
また、出力側回転体２の外周部において、軸方向内側の端部には、さらに径方向外方に延びる円板状の摩擦フランジ１８が形成されている。さらに、出力側回転体２の軸方向外側の面の外周端部には、円周方向に所定の間隔で、軸方向に突出する複数の支持用突起２ａが形成され、内周端部には、軸方向に突出するインロー突起２ｂが形成されている。
【００４０】
さらに、この出力側回転体２には、ダイヤフラムスプリング５をこの出力側回転体２に支持するための支持プレート１９がボルト２０によって固定されている。支持プレート１９は、環状の部材であり、内周端部が出力側回転体２のインロー突起２ｂに支持されている。また、支持プレート１９の外周側部分には、軸方向内側に突出する環状の支持用突起１９ａが形成されており、この支持用突起１９ａは出力側回転体２の支持用突起２ａと対向している。また、支持プレート１９の内周端には、図２から明らかなように、径方向外方に窪む複数の係合用凹部１９ｂが形成されている。この複数の係合用凹部１９ｂは円周方向に等角度間隔で配置されている。なお、入力ギア１３の内周部と出力側回転体２の内周部との間にはスラストプレート２１が設けられている。
【００４１】
＜クラッチ部＞
クラッチ部３は、２枚の第１クラッチプレート２５と１枚の第２クラッチプレート２６とを有している。これらの両クラッチプレート２５，２６はともに環状に形成されており、軸方向に交互に配置されている。また、第１クラッチプレート２５の外周部には外方に突出する複数の係合突起が形成されており、この係合突起がクラッチハウジング１の筒状部１１の内周部に形成された凹部に噛み合っている。また、第１クラッチプレート２５は両面に摩擦フェーシングが貼付されている。第２クラッチプレート２６は内周部にスプラインが形成されており、この内周部のスプラインが出力側回転体２の外周に形成されたスプライン１５に噛み合っている。
【００４２】
＜プレッシャプレート＞
プレッシャプレート４は、環状の部材であり、最も外側に配置された第１クラッチプレート２５のさらに軸方向外側に配置されている。このプレッシャプレート４の内周部には、軸方向内側に突出してスプライン孔４ａが形成されており、このスプライン孔４ａが出力側回転体２の外周スプライン１５に噛み合っている。また、プレッシャプレート４の軸方向外側の面の外周部には、軸方向に突出する環状の突出部４ｂが形成され、さらに、この環状突出部４ｂの内周側には、軸方向に突出する押圧用突起４ｃが形成されている。突出部４ｂの一部には、図２から明らかなように、１２０°の間隔で、３個所の切欠き４ｄが形成されている。なお、環状突出部４ｂの方が押圧用突起４ｃより軸方向外側により突出している。
【００４３】
＜ダイヤフラムスプリング＞
ダイヤフラムスプリング５は、環状のプレート部材であって、外周部に皿ばねとしての押圧部５ａを有し、内周部に押圧部５ａの押圧を解除するためのレバー部５ｂを有している。レバー部５ｂの内周端部には、軸方向外側に突出する当接部５ｃが形成されている。また、ダイヤフラムスプリング５は、その外周部がプレッシャプレート４の環状突出部４ｂの内周側に支持されており、これによりダイヤフラムスプリング５はセンタリングされている。そして、ダイヤフラムスプリング５の押圧部５ａは、外周部がプレッシャプレート４の押圧用突起４ｃに支持され、内周部が出力側回転体２の支持用突起２ａと支持プレート１９の支持用突起１９ａとに挟持されて支持されている。押圧部５ａの外周部には、さらに外周に突出する３つの係合用突起５ｃが１２０°間隔で形成されている。この３つの係合用突起５ｃがそれぞれプレッシャプレート４の切欠き４ｄに係合しており、これにより、ダイヤフラムスプリング５の回り止めが実現されている。
【００４４】
このようなダイヤフラムスプリング５が図１に示すようにセットされた状態では、皿ばねの付勢力によってプレッシャプレート４を所定の押圧力で軸方向内側に押圧している。したがって、クラッチ部３の第１及び第２クラッチプレート２５，２６は出力側回転体２の摩擦部１８とプレッシャプレート４との間に挟持されている。
【００４５】
また、ダイヤフラムスプリング５のレバー部５ｂは、放射状に並ぶ複数のレバーから形成されている。なお、円周方向に隣接する２つのレバーの間には、幅広のスリットが形成されており、出力側回転体２の一部に形成された軸方向外側に突出する複数のボス２ｃが、このスリットを軸方向外側に通過して支持プレート１９の軸方向内側の面に当接している。
【００４６】
＜レリーズ部材＞
レリーズ部材６は、環状のプレート部材であり、内周部にレリーズベアリング（図示せず）を保持している。すなわち、レリーズ部材６の内周部において、軸方向外側には軸受保持部６ａが形成されており、この軸受保持部６ａにレリーズベアリングの外輪の軸方向内側の肩部が嵌合している。また、レリーズ部材６の外周部には、複数の係合用突起６ｂが形成されており、この複数の係合用突起６ｂのそれぞれが支持プレート１９の係合用凹部１９ｂに係合している。この係合によって、レリーズ部材６は、センタリングされ、かつ支持プレート１９及びダイヤフラムスプリング５に対して相対回転が禁止されている。さらに、レリーズ部材６の軸方向内側の面には、ダイヤフラムスプリング５側に突出する支持用突起６ｃが形成されている。この支持用突起６ｃがダイヤフラムスプリング５のレバー部５ｂの内周側先端部を支持している。
【００４７】
＜クリップ＞
クリップ７は、前述のように、レリーズ部材６の軸方向の移動を規制してその振動を抑えるための部材である。また、このクリップ７には、フィンが形成されており、このフィンによって雰囲気中に存在する潤滑油ミストを装置内部に取り込むようにしている。以下、図１〜図３を用いて、このクリップ７について詳細に説明する。
【００４８】
クリップ７は、弾性変形可能な厚みの薄いプレート部材で形成されており、図３から明らかなように、外周が円弧状に形成されるとともに、この外周部から内周側に延びる３つの突出部を有している。すなわち、クリップ７は、円周方向の両端部に形成された２つの取付部７ａと、円周方向において２つの取付部７ａの間に形成され内周側に延びる圧接部７ｂとを有している。取付部７ａはボルト２０によって支持プレート１９に固定されている。また、圧接部７ｂは、図１に示すように、外周から内周にかけて、軸方向外側に延びる部分と、この部分から逆の軸方向内側に延びる部分とを有し、さらに内周側先端は再度軸方向外側に延びている。圧接部７ｂは、このような形状により、弾性変形が可能で、弾性変形した状態で装着されて、レリーズ部材６を軸方向外側から内側に圧接している。このようにして、クリップ７とダイヤフラムスプリング５との間にレリーズ部材６は挟持されて、運転中におけるレリーズ部材６の振動が抑制されている。
【００４９】
また、クリップ７の取付部７ａにおいて、内周側端部には、軸方向外側に折り曲げられたフィン７ｃが形成されている。このフィン７ｃは取付部７ａの周方向の幅全体にわたって形成されている。そして、このフィン７ｃの回転方向（図２及び図３の矢印Ｒで示す方向）の下流側端部の内周側の角部には、フィン７ｃとは逆方向（軸方向内側）に折り曲げられた逆曲げ部７ｄが形成されている。
【００５０】
＜動作＞
次に動作について説明する。
【００５１】
図１に示す状態では、ダイヤフラムスプリング５の押圧部５ａによってプレッシャプレート４が軸方向内側に所定の押圧力で押圧され、クラッチ部３の第１及び第２クラッチプレート２５，２６は出力側回転体２の摩擦部１８とプレッシャプレート４との間に挟持されている。この場合は、クラッチオン状態であり、クランク軸から入力ギア１３及びゴム部材１２を介して入力された回転は、クラッチハウジング１を介して第１クラッチプレート２５に伝達され、さらに第２クラッチプレート２６から出力側回転体２に伝達され、トランスミッションの入力軸１７に伝達される。
【００５２】
一方、運転者がクラッチレバーを握ると、その操作力はクラッチワイヤ等を介してレリーズベアリングに伝達され、レリーズベアリングは軸方向内側に移動させられる。このレリーズベアリングの移動は、レリーズ部材６を介してダイヤフラムスプリング５のレバー部５ｂに伝達され、レバー部５ｂの内周部が軸方向内側に移動させられる。すると、ダイヤフラムスプリング５の径方向中間部を支点として、押圧部５ａの外周部が軸方向外側に移動し、押圧部５ａがプレッシャプレート４の押圧用突起４ｃから離れる。これによりプレッシャプレート４の押圧力が解除され、クラッチ部３はオフ状態になる。このクラッチオフ状態では、クラッチハウジング１からの回転は出力側回転体２には伝達されない。
【００５３】
ここで、クラッチオフのレリーズ操作の際に、レバー部５ｂの作用によって操作力が軽減される。より詳細には、例えばダイヤフラムスプリング５の押圧部５ａによる押圧力がＰであるとすると、この押圧力Ｐを解除するためにレバー部５ｂに作用させなければならないレリーズ荷重Ｒは、
Ｒ＝Ｐ×（Ｌ１／Ｌ２）
Ｌ１：押圧部内周部の支持部から押圧部外周部の押圧点までの距離
Ｌ２：押圧部内周部の支持部からレバー部のレリーズ部材との当接部までの距離
となる。すなわち、レバー比（Ｌ１／Ｌ２）の分だけ、レリーズ荷重は軽減される。したがって、従来装置と同様のレリーズ荷重に設定する場合は、押圧部５ａの押圧荷重をレバー比の分だけ大きくすることができ、クラッチの伝達容量を同じにする場合は、クラッチプレートの枚数を減らすことができる。したがって、クラッチ装置をコンパクトにすることができる。
【００５４】
また、ここでは、レリーズ部材６がクリップ７によって支持プレート１９との間に挟持され、その振動が抑えられている。このため、クラッチ切れ量がばらつくことはなく、クラッチの切れが良くなる。さらに、本装置を運搬する際に、クリップ７によってレリーズ部材６が他の部材とユニットされるので、運搬時にレリーズ部材６が脱落するのを防止できる。
【００５５】
また、クラッチ装置の回転中において、図１の破線矢印Ａで示すように、クリップ７に設けられたフィン７ｃが雰囲気中に存在する潤滑油ミストを装置内部に取り込み、取り込まれた潤滑油は、破線矢印Ｂ及びＣで示すように、出力側回転体２の貫通孔１５ｂ及びクラッチハウジング１の外周部切欠き等によって形成された流通路を介して外周側に流通する。このとき、潤滑油は、出力側回転体２に形成された外周スプライン部１５の切欠き１５ａを通過してクラッチ部３に供給される。このとき、フィン７ｃの円周方向下流側端部には、逆曲げ部７ｄが形成されているので、フィン７ｃで取り込まれた潤滑油をさらに効率よく装置内部に取り込むことができる。したがって、軸に潤滑用の孔を形成することなく、クラッチ部３における潤滑油不足を防止できる。
【００５６】
さらに、この装置では、レリーズ部材６及び支持プレート１９が、それぞれの係合用突起及び凹部６ｂ、１９ｂによって係合し、レリーズ部材６がセンタリングされるとともに回り止めされているので、スムーズなレリーズ操作が可能になるとともに、相対回転による各部の摩耗を抑えることができる。
【００５７】
また、この実施形態では、ダイヤフラムスプリング５を径方向の中間で、すなわち押圧部５ａの内周部を支持する必要があるが、この部分を出力側回転体２の外周部によって内周側から支持しているので、従来の自動車用クラッチ装置のクラッチカバーによる支持構造に比較して、簡単でかつ小さいスペースで支持することができる。
【００５８】
［第２実施形態］
図４に本発明の第２実施形態によるモータサイクル用クラッチ装置を示す。この第２実施形態のクラッチ装置は、第１実施形態に比較して、出力側回転体２’の構成のみが異なり、他の構成は同様である。以下では、出力側回転体２’の構成についてのみ説明する。
【００５９】
出力側回転体２’はクラッチハウジング１の内周部に配置されており、基本的な構成は第１実施形態と同様である。すなわち、この出力側回転体２’は、ほぼ円板状に形成されており、外周部にスプライン１５が形成されるとともに、内周部にスプライン孔１６が形成されている。内周部と外周部との間の円板状部分において、この円板状部分の外周部からスプライン１５が形成された部分にかけて、軸方向に、かつ内周側から外周側に連通する連通部１５ｃが形成されている。その他の構成は、第１実施形態と同様である。
【００６０】
このような出力側回転体２’を用いることにより、クラッチ装置の回転中において、図の破線矢印Ａで示すように、クリップ７に設けられたフィン７ｃが雰囲気中に存在する潤滑油ミストを装置内部に取り込み、取り込まれた潤滑油は、破線矢印Ｂ及びＣで示すように、出力側回転体２’の連通部１５ｃ及びクラッチハウジング１の外周部切欠き等によって形成された流通路を介して外周側に流通する。このとき、潤滑油は、出力側回転体２’に形成された流通部１５ｃ及び外周スプライン部１５を通してクラッチ部３に供給される。また、前記同様に、フィン７ｃの円周方向下流側端部には、逆曲げ部７ｄが形成されているので、フィン７ｃで取り込まれた潤滑油をさらに効率よく装置内部に取り込むことができる。したがって、軸に潤滑用の孔を形成することなく、クラッチ部３における潤滑油不足を防止できる。
【００６１】
［他の実施形態］
（ａ）前記各実施形態では、フィンをクリップの一部にクリップと一体で形成した場合について説明したが、フィンをクリップとは別に形成しても良い。
【００６２】
（ｂ）前記各実施形態では、押圧部材としてダイヤフラムスプリングを用いた装置に本発明を適用したが、本発明は他の装置にも同様に適用することができる。
【００６３】
（ｃ）前記各実施形態では、入力ギアから回転が入力されて出力側回転体に出力される場合について説明したが、回転の伝達経路が逆の場合でも、本発明を同様に適用することができる。
【００６４】
（ｄ）前記各実施形態では、フィンにより潤滑油ミストを装置内部に積極的に取り込むようにしたが、潤滑油を含む空気の流通路を形成することにより、フィンを設けない場合でも、潤滑油ミストを装置内部に取り込んで、各部を潤滑することができる。
【図面の簡単な説明】
【００６５】
【図１】本発明の第１実施形態におけるモータサイクル用クラッチ装置の縦断面図。
【図２】前記装置の正面図。
【図３】前記装置のクリップの正面図。
【図４】本発明の第２実施形態におけるモータサイクル用クラッチ装置の縦断面図。
【符号の説明】
【００６６】
１  クラッチハウジング
２，２’  出力側回転体
３  クラッチ部
４  プレッシャプレート
５  ダイヤフラムスプリング
５ａ  押圧部
５ｂ  レバー部
６  レリーズ部材
７  クリップ
７ａ  取付部
７ｂ  圧接部
７ｃ  フィン
７ｄ  逆曲げ部
【図１】
0004714623.tif 000002
【図２】
0004714623.tif 000003
【図３】
0004714623.tif 000004
【図４】
0004714623.tif 000005